(57)【要約】【課題】剥離用のラベルを備えたコスト安なプラスチックアンプルを提供する。【解決手段】熱可塑性プラスチックにより成形されたプラスチックアンプルにあって、所要の印刷２ａが施されたシュリンクフィルム２がアンプル本体１に被着状態に被覆され、かつ、該シュリンクフィルム２の表面にラベル３が貼り付けられ、ラベル３は、剥離可能であり、かつ、該ラベル３の端部に貼り付いられていない摘み部３ｂを備え、シュリンクフィルム２のラベル貼り付け面に、ラベル記載事項と略同等の表示をしている。【選択図】  図１
0003108912.tif 000002
【実用新案登録請求の範囲】
【請求項１】
熱可塑性プラスチックにより成形されたプラスチックアンプルであって、
所要の印刷（２ａ）が施されたシュリンクフィルム（２）がアンプル本体（１）に被着状態に被覆され、かつ、該シュリンクフィルム（２）の表面にラベル（３）が貼り付けられてなることを特徴とするプラスチックアンプル。
【請求項２】
前記ラベル（３）は、剥離可能であり、かつ、該ラベル（３）の端部に貼り付いられていない摘み部（３ｂ）を備えてなる請求項１に記載のプラスチックアンプル。
【請求項３】
前記シュリンクフィルム（２）のラベル貼り付け面に、ラベル記載事項と略同等の表示をしてなることを特徴とする請求項１又は２に記載のプラスチックアンプル。
【請求項４】
前記シュリンクフィルム（２）が、遮光性、ガスバリヤ性、水蒸気バリヤ性から選ばれる少なくとも一つの特性を備えることを特徴とする請求項１乃至３の何れかに記載のプラスチックアンプル。
【考案の詳細な説明】
【技術分野】
【０００１】
本考案は、内部に薬液を密封状態に収納するプラスチックアンプルに関する。
【背景技術】
【０００２】
医療用アンプルは、破損しないこと、開封時手指に切り傷が生じないこと、破片が内部に混入しないこと、薬液との相互作用が少ないこと、軽量であること、安価であること等々の利点により、ガラス製のものからプラスチック製のものに取って代わられている（例えば、特許文献１参照）。
【０００３】
ところで、プラスチックアンプルは、一般に、ブロー成形やその変法であるブローフィルシール成形により製造される。そのため、通常、アンプルの表面に直接印字することは困難である。そこで、従来から、薬液名や成分、貯法、注意書、製造年月日、製造番号、使用期限等々を印刷したラベルやシュリンクフィルムを貼り付ける方法（例えば、特許文献２，３参照）がとられている。
【０００４】
ラベルを貼り付ける場合には、薬液を使用したことを後で確認できるように、ラベルを剥がして、カルテや混注した輸液バッグに貼り付けることができる利点がある。一方、シュリンクフィルムは、たとえアンプルが小さくても、アンプル本体のほぼ全体を覆うように貼り付けることができるので、ラベルに比して表記可能面積を広く取れることと、フィルムに遮光性等の機能を具備させて薬液を保護できる利点がある。また、不用意に剥がれ落ちることがほとんどない。
【０００５】
【特許文献１】登録実用新案第３１０３４４６号公報
【特許文献２】実開平８−１２６５号公報
【特許文献３】実開昭５７−３７８６５号公報
【考案の開示】
【考案が解決しようとする課題】
【０００６】
しかし、ラベルを貼付する場合、特に、アンプルが小さいと表面の曲率が大となるため、ラベルの貼付作業が難しくなり、また、ラベルの剛性によって端の部分から剥がれやすくなるという問題がある。そして、剥離用のラベルを剥がした後に薬液名等の表記をアンプル側に残すためには、ラベルを二層に貼り付ける必要がありコスト高になる。さらに、アンプルが小さい場合には、特に、剥離用のラベルの表記可能面積も狭くなるため、文字等の表記も小さくならざるを得ない。一方、シュリンクフィルムを貼り付ける方法では、ラベルのように、剥がして別の箇所に貼り付けることができないという難点がある。
【０００７】
本考案は、このような実情に鑑みてなされ、剥離用のラベルを備えたコスト安なプラスチックアンプルを提供することを目的とする。
【課題を解決するための手段】
【０００８】
本考案に係るプラスチックアンプルは、上述の課題を解決するための手段を以下のように構成している。即ち、熱可塑性プラスチックにより成形されたプラスチックアンプルにあって、
所要の印刷２ａが施されたシュリンクフィルム２がアンプル本体１に被着状態に被覆され、かつ、該シュリンクフィルム２の表面にラベル３が貼り付けられてなることを特徴とする。
【０００９】
このような構成によれば、アンプル表面の曲率に影響されることなく、シュリンクフィルム２をアンプル本体１のほぼ全体を覆うように貼り付けることができるため、アンプル本体１のサイズが小さくても比較的に広い印刷可能面積を確保できる上に、シュリンクフィルム２の表面に貼り付けたラベルによって、シュリンクフィルム上の印刷とは異なる目的・趣旨・趣向の表記が可能となるため、アンプルに付す情報伝達媒体における表記の多様化を図ることができる。
【００１０】
このようなプラスチックアンプルでは、前記ラベル３は、剥離可能であり、かつ、該ラベル３の端部に貼り付いられていない摘み部３ｂを備えてなるものであってもよい。このようにすれば、そのラベル３を剥離用として用い、薬液を使用した後、摘み部３ｂを掴んでラベル３を剥がして、カルテや混注した輸液バッグに薬液使用済み確認用として貼り付けることができる。シュリンクフィルム２は、円筒状としてアンプル本体１に被覆させた状態で、シュリンクトンネルを通過させることで、たとえアンプル本体１の表面の曲率が大きい場合でも脱落の虞のない完全な密着状態に被着させることができ、その上に、剥離用のラベル３を貼り付ければよく、ラベルを二層に貼付する場合よりも貼り付け作業が容易、確実かつ安価であり、プラスチックアンプルをコスト安に提供することができる。
【００１１】
また、前記シュリンクフィルム２のラベル貼り付け面に、ラベル記載事項と略同等の表示をしてなるものであってもよい。このようにすれば、ラベル３を剥がした後においても、アンプル側で記載事項を確認することができる。
【００１２】
あるいは、前記シュリンクフィルム２が、遮光性、ガスバリヤ性、水蒸気バリヤ性から選ばれる少なくとも一つの特性を備えるものであってもよい。このようにすれば、アンプルに収納した薬液に含まれている揮発性物質の揮散防止、ガス抜け防止、水分の蒸発防止等を図ることができる。
【考案の効果】
【００１３】
本考案に係るプラスチックアンプルは、アンプル表面の曲率に影響されることなく、シュリンクフィルムをアンプル本体のほぼ全体を覆うように貼り付けることができるので、アンプル本体が小さくても比較的に広い印刷可能面積を確保できる上に、シュリンクフィルムの表面に貼り付けたラベルによって、シュリンクフィルム上の印刷とは異なる目的・趣旨・趣向の表記が可能となり、アンプルに付す情報伝達媒体の表記の多様化を図ることができる。
【００１４】
従って、例えば、そのラベルを剥離可能として、薬液使用後に、カルテや混注した輸液バッグに薬液使用済み確認用として貼り付けることができる。また、ラベルに、シュリンクフィルムに施した印刷とは異なる特殊な印刷を施すことで、他との識別性（特定性）の顕著化を図ることもできる。また、製作過程においては、シュリンクフィルムをアンプル本体に被覆させて、シュリンクトンネルを通過させることで、たとえアンプル本体の表面の曲率が大きい場合でも脱落の虞のない完全な密着状態でフィルムを被着させることができ、その上に、剥離用のラベルを貼り付ければよく、ラベルを二層に貼付する場合よりも貼り付け作業が容易、確実かつ安価であり、プラスチックアンプルをコスト安に提供することができる。
【考案を実施するための最良の形態】
【００１５】
以下に、本考案の最良の実施の形態に係るプラスチックアンプルについて図面を参照しつつ詳細に説明する。
図１はプラスチックアンプルの一例を示し、（ａ）は正面図、（ｂ）はラベルを剥がした状態の正面図、図２（ａ）〜（ｄ）は製作過程の説明図である。まず、図１において、符号１は薬液を収容可能な薬液収容室を備えたアンプル本体、２は、アンプル本体１の表面に被着状態で被覆されたシュリンクフィルム、２ａはシュリンクフィルム２のラベル貼り付け面に施された印刷表記、３はシュリンクフィルム２に剥離可能に貼り付けられたラベル、３ａはラベル３に施された印刷表記で、シュリンクフィルム２の印刷表記２ａと同一の内容である。また、３ｂは、シュリンクフィルム２に貼り付けられない摘み部である。
【００１６】
プラスチックアンプルの構成について説明すると、４は、アンプル本体１の上部に上方に突出するように設けられる薬液排出筒部、５は、薬液排出筒部４の中間部に周方向に薄肉状に形成される脆弱部、６は、薬液排出筒部４における脆弱部５よりも上方の部位に一体的に略偏平状に形成される摘み片、８は、薬液排出筒部４の脆弱部５よりも下方の部位とアンプル本体１の肩部７とに跨がるように連設される補強片である。このような構成により、使用時に摘み片６を捩じる際に、補強片８を掴みやすく、作業性よく開封することができる。
【００１７】
このようなプラスチックアンプルは、例えば、非硬質の熱可塑性プラスチック（例えば、低密度ポリエチレン）を素材としてブローフィルシールシステムにより能率よく成形することができる。同システムは、容器の成形、薬液の充填、 容器の溶閉が連続的に行われ、安全性、衛生性に優れ、所定量の薬液（図示省略）が薬液収容室（及び薬液排出筒部４）に密封状態に充填された状態の成形品（アンプル）をコスト安に得ることができる。
【００１８】
そして、アンプル本体１にシュリンクフィルム２が被覆され、かつ、該シュリンクフィルム２の表面にラベル３が貼り付けられているので、アンプル本体１が小さくても広い印刷可能面積がとれる上に、シュリンクフィルム２の表面に貼り付けたラベル３によって、シュリンクフィルム２に施された印刷とは異なる目的・趣旨・趣向の表記が可能となるため、アンプル本体１に付す情報伝達媒体の表記の多様化を図ることができる。
【００１９】
本実施の形態では、そのラベル３を剥離可能として、摘み片６を捩じ切り薬液を使用した後に、カルテや混注した輸液バッグに薬液使用済み確認用として貼り付けることができるようにしている。また、図示は省略するが、ラベル３に、シュリンクフィルム２に施した印刷とは異なる特殊な印刷を施すことで、他との識別性（特定性）の顕著化を図ることもできる。また、シュリンクフィルム２は、遮光性、ガスバリヤ性、水蒸気バリヤ性から選ばれる少なくとも一つの特性を備えるものであってもよい。このようなシュリンクフィルム２を用いることで、アンプルに収納した薬液に含まれている揮発性物質の揮散防止、ガス抜け防止、水分の蒸発防止等を図ることができる。
【００２０】
このようなプラスチックアンプルの製作過程（シュリンクフィルム２及びラベル３の貼り付け過程）では、例えば、図２（ａ）〜（ｄ）に示すように、予め印刷が施されたシュリンクフィルム２を円筒状としてアンプル本体１に被覆させた状態でシュリンクトンネル（図示省略）を通過させることで、たとえアンプル本体１の表面の曲率が大きい場合でも脱落の虞のない完全な密着状態でシュリンクフィルム２をアンプル本体１に被着させることができる。次いで、そのシュリンクフィルム２のラベル貼り付け面に、剥離用のラベル３を貼り付ければよく、ラベルを二層に貼付する場合よりも貼り付け作業が容易、確実かつ安価であり、このようなプラスチックアンプルをコスト安に提供することができる。
【００２１】
なお、本考案は、実施の形態に限定されることなく、考案の要旨を逸脱しない限りにおいて、必要に応じて、適宜、設計変更や改良等は自由であり、例えば、プラスチックアンプルは、少なくともアンプル本体にシュリンクフィルムを被着状態に被覆させることができればよく、その構成や形状、形式の如何を問わない。
【図面の簡単な説明】
【００２２】
【図１】本考案の実施の形態に係るプラスチックアンプルの一例を示し、（ａ）は正面図、（ｂ）はラベルを剥がした状態の正面図である。
【図２】（ａ）〜（ｄ）は同製作過程の説明図である。
【符号の説明】
【００２３】
１…アンプル本体、２…シュリンクフィルム、２ａ…印刷、３…ラベル、３ｂ…摘み部
【図１】
0003108912.tif 000003
【図２】
0003108912.tif 000004